(57)【特許請求の範囲】
【請求項１】
家具本体の下部に螺入して取り付けられる家具用脚端具であって、
一端部に頭部が設けられ、少なくとも該頭部と反対側の端部近傍の外周面に雄ネジ部が形成された金属製のボルトと、
前記雄ネジ部に螺入可能な金属製のナットと、
前記ボルトを挿通可能とする挿通路が上下方向に設けられるとともに、前記ボルトの頭部を収容可能とする収容凹部が設けられた合成樹脂製の基部と、
からなり、前記基部の上部には、前記ナットの回転を規制する回転規制部が設けられ、前記ボルトの一部が前記挿通路の上方に突出された状態で、前記基部が、前記ボルトの頭部とナットとにより挟締されてなることを特徴とする家具用脚端具。
【請求項２】
前記回転規制部が、前記ナットを回転不能に嵌装する凹部であり、該凹部内に収容された前記ナットの上端面の少なくとも一部が、前記凹部の上端面より上方に突出されている請求項１に記載の家具用脚端具。
【請求項３】
前記収容凹部内に複数本のリブが設けられている請求項１または２に記載の家具用脚端具。
【発明の詳細な説明】
【０００１】
【発明の属する技術分野】
本発明は、家具の下端に取り付けられる家具用脚端具に関する。
【０００２】
【従来の技術】
従来より、例えば金属等からなるテーブル等の支柱０３の下端を床面に設置する際に、床面が傷ついたり接触音等が生じないように、また、支柱の長さを床面の設置状況に応じて微調整出来るように、支柱の下端に合成樹脂製の脚端具を設けることがある。
【０００３】
このような脚端具の一例を図５、６を用いて説明すると、まずテーブルの天板０２の下面を支持する管状の支柱０３の下端内部には、内周面に雌ネジ部０９が形成された支持部材０８がそれぞれ設けられている。
【０００４】
脚端具０１は、支柱０３の下端に嵌合可能な凹部が上面に形成されるとともに、凹部内に、支持部材０８の雌ネジ部０９内に螺入可能な金属製の雄ネジ部０５と、この下端が埋設された合成樹脂製の接地部材０７とからなり、この雄ネジ部０５を雌ネジ部０９に螺入することにより支柱０３の下端に取り付け出来るようになっているとともに、脚端具０１を回動させ、支柱に対して上下動させることで、天板０２の高さの微調整を行い、天板０２を水平に保つことができるようになっている。
【０００５】
【発明が解決しようとする課題】
しかしながら、近年において、このようなテーブルを廃棄処分する際においては、環境破壊や素材の再利用等を考慮して、材質の異なるものはそれぞれ分別して廃棄、回収する傾向にあるが、前述のような脚端具０１は、金属製の雄ネジ部０５と合成樹脂製の接地部材０７とが一体成形されているため、この脚端具０１を支柱０３から取り外すことは出来ても、材質の異なる雄ネジ部０５と接地部材０７とを分別して廃棄するには手間やコストがかかるため、非常に困難であった。
【０００６】
本発明は、このような問題点に着目してなされたもので、テーブル等の支柱に対して上下動可能に取り付けることが出来るとともに、材質の異なる部材をそれぞれ容易に分離することが可能な家具用脚端具を提供することを目的としている。
【０００７】
【課題を解決するための手段】
上記目的を達成するために、本発明の家具用脚端具は、家具本体の下部に螺入して取り付けられる家具用脚端具であって、
一端部に頭部が設けられ、少なくとも該頭部と反対側の端部近傍の外周面に雄ネジ部が形成された金属製のボルトと、
前記雄ネジ部に螺入可能な金属製のナットと、
前記ボルトを挿通可能とする挿通路が上下方向に設けられるとともに、前記ボルトの頭部を収容可能とする収容凹部が設けられた合成樹脂製の基部と、
からなり、前記基部の上部には、前記ナットの回転を規制する回転規制部が設けられ、前記ボルトの一部が前記挿通路の上方に突出された状態で、前記基部が、前記ボルトの頭部とナットとにより挟締されてなることを特徴としている。
この特徴によれば、挿通路内に挿通されたボルトと、このボルトの雄ネジ部に螺入されたナットとをナットを適宜工具等を用いて押さえることなく、ボルトを軸周りに回転させるだけで、基部の一部がボルトの頭部とナットとにより上下から狭持され、ボルトと基部とが強固に一体化されるとともに、ボルトからナットを取り外せば、金属製のボルト及びナットと、合成樹脂製の基部とを簡単に分離出来るので、異なる材質の部材を手間やコストをかけることなく分別廃棄することが出来る。
【０００９】
本発明の家具用脚端具は、前記回転規制部が、前記ナットを回転不能に嵌装する凹部であり、該凹部内に収容された前記ナットの上端面の少なくとも一部が、前記凹部の上端面より上方に突出されていることが好ましい。
このようにすることで、家具本体への取り付け時において、合成樹脂製の基部の上部が、家具本体の雌ネジ部の端部周縁に直接接触することがないので、基部が傷つかないばかりか、ナットが外部に露呈されることがないので、外観が向上する。
【００１０】
本発明の家具用脚端具は、前記収容凹部内に収容された前記ボルトの頭部の周囲に、複数本のリブが設けられていることが好ましい。
このようにすることで、基部の設置安定性が向上するとともに、強度を保持しながら、基部本体の軽量化が図れる。
【００１１】
【発明の実施の形態】
以下、本発明の実施の形態を図１ないし図４に基づいて説明すると、まず図１には家具本体の支柱３及びこの支柱３の下端に取り付けられる脚端具１が示されており、図２には、前記脚端具１が下端に装着された状態が示されている。脚端具１は、床面上に載置される合成樹脂製の基部９と一端部側の外周面に雄ネジ部２が形成された軸部１０ｂと、外径が後述する筒体１４よりも大径な頭部１０ａとからなる金属製のボルト１０、及びこの雄ネジ部２に螺合する六角ナット１１とから構成されている。
【００１２】
ボルト１０の頭部１０ａの上面には、六角溝１０ｃが設けられている。また、軸部１０ｂは後述する挿通路１２に挿通した際に、一部が挿通路１２の上端部より上方に突出する長さを有している。
【００１３】
基部９は、下部に向かってテーパ状に広がる外観視略逆すり鉢状の中空容器であって、中央部には、ボルト１０の軸部１０ｂを軸心周りに回転可能な状態で挿通出来る挿通路１２が上下方向に延びるように設けられている。
【００１４】
基部９の上部には、平面視形状が六角ナット１１の外形とほぼ同形でかつ深さが六角ナット１１の高さよりも若干浅い回転規制部としての凹部１３が、挿通路１２の上端部に連通するように設けられている。また、基部９の下部には、ボルト１０の頭部１０ａを収容可能な収容凹部９ａが形成されている。
【００１５】
この収容凹部９ａ内には、中心から外方に向かって複数のリブ１５が放射状に設けられており、これらリブ１５の下端面と基部９の下端面とにより脚端具１の接地面１６が形成されている。
【００１６】
これらリブ１５の中央部は切り欠かれており、リブ１５の内方側面と筒体１４の下端面１４ａとから、ボルト１０の頭部１０ａが嵌装可能な収納部１７が基部９の下方に開口するように形成されており、軸部１０ｂを挿通路１２に挿通して頭部１０ａ受面１０ｄが筒体１４の下端面１４ａに当接された時、頭部１０ａが接地面１６の下方に突出しないようになっている。
【００１７】
図３、図４に示すようにボルト１０の軸部１０ｂを、基部９の下方から挿通路１２内に挿通して、凹部１３内に回転不能に嵌装された六角ナット１１に螺入し締め付けることで、頭部１０ａと六角ナット１１とにより基部９の一部が上下から狭持され、ボルト１０と基部９とが強固に一体化される。
【００１８】
また、家具本体に設けられた支柱３の下端部には、上記のように構成された脚端具１の雄ネジ部２が螺入可能な雌ネジ部５が形成されている。よって、脚端具１のボルト１０を雌ネジ部５に螺入し、脚端具１を軸心周りに回動することで、支柱３に対して脚端具１を取り付け出来るとともに、上下動させて家具本体の上下調整を行えるようになっている。
【００１９】
なお、支柱３の下端には、係止片７により支持部材６に係止された筒状のカバー体８が取り付けられており、この接続部分が覆われるようになっている。
【００２０】
以上のように構成される本実施形態の脚端具１にあっては、基部９の挿通路１２内に挿通されたボルト１０を、凹部１３内に嵌装された六角ナット１１に螺入し、締め付けることで、ボルト１０と基部９とが強固に一体化されるとともに、ボルト１０と六角ナット１１を緩めて取り外すだけの容易な作業のみで、ボルト１０と基部９とを分離出来るようになっている。すなわち、通常使用時において、脚端具１に家具本体の負荷が加わっても、ボルト１０と基部９とは強固に一体化されているため、基部９に対してボルト１０ががたつくことがないので、家具本体が安定して支持されるばかりか、廃棄時においては、脚端具を構成する材質の異なる部材をそれぞれ容易に分離することが出来る。
【００２１】
本実施形態における六角ナット１１は、凹部１３内に回転不能に嵌装されるので、基部９を手で固定した状態でボルト１０を回動するのみで、基部９とボルト１０との着脱作業を行うことが出来るばかりか、六角ナット１１が外部に露呈することがないので、外観が向上する。なお、頭部１０ａの上部には六角溝１０ｃが設けられているので、六角レンチ等の工具を六角溝１０ｃに嵌合して回動することで、ボルト１０と六角ナット１１とを締め付けたり緩める作業を容易に行える。
【００２２】
また、凹部１３内に嵌装された六角ナット１１の上面の一部が基部９の上端部よりも若干上方に突出されるので、軸部１０ｂが支柱３の雌ネジ部５内に深く螺入された時に、基部９が支持部材６に直接接触することがない。すなわち、基部９の上部が、脚端具１の繰り返しの上下調整により破損されることがない。
【００２３】
挿通路１２は、筒体１４を介して上下方向に長く形成されているので、軸部１０ｂが安定して支持される。
【００２４】
基部９は下部に向かってテーパ状に広がる外観視略逆すり鉢状に形成されているとともに、内部には複数のリブ１５が設けられており、このリブ１５の下面と基部９の下面とにより接地面１６が形成されているため、床面上での安定性が向上するとともに、強度を保持しながら、軽量化できる。
【００２５】
以上、本発明の実施形態を図面に基づいて説明してきたが、具体的な構成はこのような実施形態に限られるものではなく、本発明の要旨を逸脱しない範囲における変更や追加があっても本発明に含まれる。
【００２６】
例えば、本実施形態においては、基部９の上部に、六角ナット１１を回転不能に嵌挿可能な凹部１３が設けられているが、特に設けられていなくても良い。また、基部９の形状は前記本実施形態のような形状に限定されるものではない。
【００２７】
【発明の効果】
本発明は以下の効果を奏する。
【００２８】
（ａ）請求項１の発明によれば、挿通路内に挿通されたボルトと、このボルトの雄ネジ部に螺入されたナットとをナットを適宜工具等を用いて押さえることなく、ボルトを軸周りに回転させるだけで、基部の一部がボルトの頭部とナットとにより上下から狭持され、ボルトと基部とが強固に一体化されるとともに、ボルトからナットを取り外せば、金属製のボルト及びナットと、合成樹脂製の基部とを簡単に分離出来るので、異なる材質の部材を手間やコストをかけることなく分別廃棄することが出来る。
【００３０】
（ｂ）請求項２の発明によれば、家具本体への取り付け時において、合成樹脂製の基部の上部が、家具本体の雌ネジ部の端部周縁に直接接触することがないので、基部が傷つかないばかりか、ナットが外部に露呈されることがないので、外観が向上する。
【００３１】
（ｃ）請求項３の発明によれば、脚端具に対し上方からかかる強い負荷が分散されるので、強度を確保しつつ、軽量化を図ることが出来る。
【００３２】
【図面の簡単な説明】
【図１】本発明における１実施形態としての家具用脚端具と、該脚端具が取り付けられる家具の下端部を示す断面図である。
【図２】図１における家具用脚端具が、家具に装着した状態を示す断面図である。
【図３】図１における家具用脚端具の分解斜視図である。
【図４】図３を反対方向から見た分解斜視図である。
【図５】従来技術としての家具用脚端具がテーブルに装着された状態を示す斜視図である。
【図６】図５における家具用脚端具の断面図である。
【符号の説明】
１            脚端具
２            雄ネジ部
３            支柱
５            雌ネジ部
６            支持部材
７            係止片
８            カバー体
９            基部
９ａ          収容凹部
１０          ボルト
１０ａ        ボルト頭部
１０ｂ        軸部
１０ｃ        六角溝
１０ｄ        受面
１１          六角ナット（ナット）
１２          挿通路
１３          凹部
１４          筒体
１４ａ        下端面
１５          リブ
１６          接地面
１７          収納部
【図１】
0004447688.tif 000002
【図２】
0004447688.tif 000003
【図３】
0004447688.tif 000004
【図４】
0004447688.tif 000005
【図５】
0004447688.tif 000006
【図６】
0004447688.tif 000007